(57)【要約】【課題】通常撮影とマクロズーム撮影との間で切り替える際に、小さな操作量でレンズの安定した変位が可能なカメラモジュールを提供すること。【解決手段】カメラモジュール１は、レンズを有する内バレル１０が螺合された筒状部と、筒状部の外周に形成されたフランジ部とを有する外バレルと、フランジ部下面と接触する凸部を有するレバー部材３０と、フランジ部上面に接触し外バレルを下向きに付勢するカバー４０と、レバー部材３０を回動自在に支持するホルダ５０と、ホルダ５０が接着されたベース７０とを備える。レバー部材３０の凸部のフランジ部との接触位置を下面の凹部または平面部のいずれかに変えるために、レバー部材３０を回動させることにより、外バレルと一体となっているレンズを変位させる。これにより、小さな操作量でマクロズーム撮影と通常撮影との間の切り替え操作を安定的に行うことができる。【選択図】図１
2006099072.tif 000002
【特許請求の範囲】
【請求項１】
複数のレンズが取り付けられているレンズユニットと、
前記レンズユニットが取り付けられている筒状部と、該筒状部の周囲に設けられ、第１面および該第１面と反対側の第２面を有するフランジ部とを有する変位部材と、
前記フランジ部の前記第１面と一部が接触している状態で配置されている変位調節部材と、
前記フランジ部の前記第２面に接触し、前記変位部材を前記変位調節部材に向かって付勢する付勢部材と、
前記変位部材を光軸方向に案内するとともに、前記変位調節部材を回動自在に支持している案内部材と、
前記案内部材が接着固定され、撮像素子を内部に封止しているベース基板部材と、を備えるカメラモジュールにおいて、
前記変位部材および前記変位調整部材は、該変位調整部材の所定角度にわたる回動に応じて、前記変位部材を光軸方向に変位させる変位手段をさらに備えることを特徴とするカメラモジュール。
【請求項２】
前記変位手段は、前記変位部材または前記変位調節部材の少なくとも一方に設けられている被接触面と、
前記変位部材または前記変位調節部材の他方に設けられ、前記被接触面に接触している状態で前記変位部材を変位させる接触部と、を有する請求項１に記載のカメラモジュール。
【請求項３】
前記被接触面は、前記変位部材の前記フランジ部の前記第１面に、周方向に等間隔に設けられている複数の凹部と、該複数の凹部の間にそれぞれ位置している平面部とを有する請求項２に記載のカメラモジュール。
【請求項４】
前記接触部は、前記変位部材の前記フランジ部の前記第１面と対向する前記変位調整部材の面に、周方向に前記凹部の間隔と同じ間隔でそれぞれ設けられている略半円状の凸部を有する請求項３に記載のカメラモジュール。
【請求項５】
前記変位部材は、前記変位調整部材の回動により、前記凸部が前記凹部または前記平面部のいずれかに接触することによって、変位するように構成されている請求項４に記載のカメラモジュール。
【請求項６】
前記付勢部材は、前記案内手段に取り付けられている枠体と、該枠体の内縁から内側かつ下方に延出するように一体に形成されている複数のタブ状部を有し、該タブ状部の一部が前記変位部材のフランジ部の第２面に接触することによって、前記変位部材を前記変位調整部材に向かって付勢する請求項１に記載のカメラモジュール。
【請求項７】
前記案内部材は、前記変位部材のフランジ部の外縁に沿って等間隔に形成されており、前記フランジ部の外縁から外側に延出している複数の突起をそれぞれ挿入するための光軸方向に伸びる複数の溝部を有する請求項１に記載のカメラモジュール。
【発明の詳細な説明】
【技術分野】
【０００１】
本発明は、カメラモジュールに関し、さらに詳しくは、デジタルカメラや携帯電話などのカメラ付き小型電子機器に用いることができ、撮影モードを通常撮影とマクロズーム撮影との間で切り替える際に、小さな操作量でレンズの安定した変位を確実に行うことが可能なカメラモジュールに関する。
【背景技術】
【０００２】
デジタルカメラおよび携帯電話などのカメラ付き小型電子機器には、レンズと撮像素子とを一体化したカメラモジュールが使用されている。これらのカメラモジュールでは、オートフォーカスおよびズームを実行するために、レンズを光軸方向に変位させる機構が求められている。
【０００３】
従来のマクロ（接写）ズーム可能なカメラモジュールの構造として、図１６および図１７に示すものが提案されている。図１６および図１７に示すカメラモジュール１００は、複数のレンズ１９０および１９１が取り付けられた略円筒状のレンズユニット１１０と、このレンズユニット１１０の外周の上部に固定されたレバー部材１３０と、レンズユニット１１０の外周の下部と螺合する筒状部を有するホルダ１５０と、このホルダ１５０の底面が接着され、撮像素子１８１が内部に封止されているベース基板部材１６０と、を備える。
【０００４】
レバー部材１３０を回動させることによって、ホルダ１５０と螺合しているレンズユニット１１０が回動する。これにより、レンズ１９０および１９１を光軸方向に変位させることによって、従来のカメラモジュール１００は、通常撮影とマクロズーム撮影との間で切り替えを行うことができる。
【発明の開示】
【発明が解決しようとする課題】
【０００５】
しかしながら、上記従来のカメラモジュール１００では、互いに螺合しているレンズユニット１１０とホルダ１５０との間に不適切な噛み合いおよび緩い噛み合いが生じる場合がある。これは、ホルダ１５０に対して、レンズユニット１１０の不安定な動きを引き起こす。その結果、通常撮影時およびマクロズーム撮影時のレンズ１９０および１９１の位置精度が低下する。
【０００６】
また、上記従来のカメラモジュール１００では、通常撮影とマクロズーム撮影との間で切り替えに必要なレンズ１９０および１９１の光軸方向の変位量は、予め決まっている。このレバー部材１３０の操作量（回動量）は、レンズユニット１１０およびホルダ１５０のネジピッチに依存し、このカメラモジュール１００では、レバー部材１３０の回動量は、１３０度程度となっている。その結果、このカメラモジュール１００が取り付けられる電子機器には、レバー部材１３０の回動量分のスペースを確保しなければならない。しかしながら、一方で近年小型電子機器は、さらなる小型化が求められており、それゆえ、このレバー部材１３０の回動量を出来るだけ小さくすることが望ましい。
【０００７】
以上のようなカメラモジュール１００において、レバー部材１３０の回動量を小さくするために、レンズユニット１１０およびホルダ１５０のネジピッチを大きくすることが考えられる。しかしながら、カメラモジュールの組み立て工程において、ホルダ１５０に対してレンズユニット１１０の噛み合い量を精細に調整することによって、レンズ１９０および１９１の光軸方向の位置調整（フォーカス調整）を行う。それゆえ、レンズユニット１１０およびホルダ１５０のネジピッチが単に大きくなると、小さいネジピッチを有する場合に比べて、フォーカス調整（精細な調整）が難しくなる。上記の理由のため、従来のカメラモジュール１００では、レバー部材１３０の操作量を小さくすることが難しいという問題があった。
【０００８】
本発明は、これらの問題点に鑑みなされたものであり、その目的は、通常撮影とマクロズーム撮影との間で切り替える際に、小さな操作量でレンズの安定した変位が可能なカメラモジュールを提供することにある。
【課題を解決するための手段】
【０００９】
上記目的を達成するために、本発明のカメラモジュールは、複数のレンズが取り付けられているレンズユニットと、前記レンズユニットが取り付けられている筒状部と、該筒状部の周囲に設けられ、第１面および該第１面と反対側の第２面を有するフランジ部とを有する変位部材と、前記フランジ部の前記第１面と一部が接触している状態で配置されている変位調節部材と、前記フランジ部の前記第２面に接触し、前記変位部材を前記変位調節部材に向かって付勢する付勢部材と、前記変位部材を光軸方向に案内するとともに、前記変位調節部材を回動自在に支持している案内部材と、前記案内部材が接着固定され、撮像素子を内部に封止しているベース基板部材と、を備えるカメラモジュールにおいて、前記変位部材および前記変位調整部材は、該変位調整部材の所定角度にわたる回動に応じて、前記変位部材を光軸方向に変位させる変位手段をさらに備えることを特徴とする。
【００１０】
また、本発明のカメラモジュールでは、前記変位手段は、前記変位部材または前記変位調節部材の少なくとも一方に設けられている被接触面と、前記変位部材または前記変位調節部材の他方に設けられ、前記被接触面に接触している状態で前記変位部材を変位させる接触部と、を有することが好ましい。
【００１１】
また、本発明のカメラモジュールでは、前記被接触面は、前記変位部材の前記フランジ部の前記第１面に、周方向に等間隔に設けられている複数の凹部と、該複数の凹部の間にそれぞれ位置している平面部とを有することが好ましい。
【００１２】
また、本発明のカメラモジュールでは、前記接触部は、前記変位部材の前記フランジ部の前記第１面と対向する前記変位調整部材の面に、周方向に前記凹部の間隔と同じ間隔でそれぞれ設けられている略半円状の凸部を有することが好ましい。
【００１３】
また、本発明のカメラモジュールでは、前記変位部材は、前記変位調整部材の回動により、前記凸部が前記凹部または前記平面部のいずれかに接触することによって、変位するように構成されていることが好ましい。
【００１４】
また、本発明のカメラモジュールでは、前記付勢部材は、前記案内手段に取り付けられている枠体と、該枠体の内縁から内側かつ下方に延出するように一体に形成されている複数のタブ状部を有し、該タブ状部の一部が前記変位部材のフランジ部の第２面に接触することによって、前記変位部材を前記変位調整部材に向かって付勢することが好ましい。
【００１５】
また、本発明のカメラモジュールでは、前記案内部材は、前記変位部材のフランジ部の外縁に沿って等間隔に形成されており、前記フランジ部の外縁から外側に延出している複数の突起をそれぞれ挿入するための光軸方向に伸びる複数の溝部を有することが好ましい。
【発明の効果】
【００１６】
請求項１記載のカメラモジュールによれば、変位調整部材を所定角度にわたって回動させることで、変位部材および変位調整部材に設けられた変位手段によって、変位部材すなわちレンズを光軸方向に変位させることができる。これにより、本発明のカメラモジュールは、通常撮影とマクロズーム撮影との安定した切り替え操作を小さな操作量で行うことができる。
【００１７】
請求項２記載のカメラモジュールによれば、被接触面とその被接触面に接触する接触部という単純な構造で変位部材を変位させることができる。
【００１８】
請求項３記載のカメラモジュールによれば、複数の凹部または複数の平面部のいずれかで変位部材が変位調節部材と接触することによって、変位部材の位置を２段階に変位させることができる。
【００１９】
請求項４記載のカメラモジュールによれば、接触部が曲面で変位部材に接触している。したがって、接触部と変位部材との接触面積を小さくでき、変位調整部材を容易に回動させることができる。
【００２０】
請求項５記載のカメラモジュールによれば、変位調整部材は、凸部が凹部に接触している状態と凸部が平面部に接触している状態の間で変位部材の光軸方向の位置を、２段階で安定して切り替えることができる。すなわち、変位部材の位置を通常撮影とマクロズーム撮影との２段階で安定した状態で変位させることが可能である。
【００２１】
請求項６記載のカメラモジュールによれば、付勢部材は、変位部材と変位調整部材とを常に接触させた状態に保つことができる。
【００２２】
請求項７記載のカメラモジュールによれば、案内部材は、変位部材が回動することなく、変位部材を光軸方向に案内することができる。
【００２３】
上述したおよび他の本発明の構成、作用および効果は、図面を参照して行う以下の好適実施形態の説明からより明らかとなるであろう。
【発明を実施するための最良の形態】
【００２４】
以下、本発明のカメラモジュールについて添付図面に示す好適な実施形態に基づいて詳細に説明する。なお、以下の実施形態は、通常撮影とマクロズーム撮影との間で切り替える機能を有するカメラモジュールである。
【００２５】
図１は、本発明に係るカメラモジュールの実施形態の外観を示す斜視図である。図２は、図１に示すカメラモジュールの分解斜視図である。
【００２６】
本実施形態にかかるカメラモジュール１は、図１および図２に示すように、複数のレンズ９０、９１およびストッパ９２が取り付けられているレンズユニットとしての内バレル１０と；内バレル１０が取り付けられている筒状部２１と、筒状部２１の周囲に設けられ、第１面（下面）および第１面と反対側の第２面（上面）を有するフランジ部２２とを有する変位部材としての外バレル２０と；フランジ部２２の第１面が接触している状態で配置されている変位調節部材としてのレバー部材３０と；前記フランジ部の第２面に接触し、外バレル２０をレバー部材３０に向かって付勢させるように設けられている付勢部材としてのカバー４０と；外バレル２０を光軸方向に案内するとともに、レバー部材３０を回動自在に支持する案内部材としてのホルダ５０と；ホルダ５０が接着固定され、撮像素子８１を内部に封止しているベース基板部材６０と；から構成されている。
【００２７】
以下、各構成部材の詳細について説明する。なお、本明細書においては、上及び下の文言を適宜使用するが、各部材の説明において、図２に示す矢印の向きを上方向とし、この矢印の逆の向きを下方向とする。
【００２８】
内バレル１０は、合成樹脂からなる。図３および図４に示すように、この内バレル１０は、一端に略円形の上面１１と他端に開口１３とを有する中空の円筒部１２と、中空の円筒部１２の上面１１に一体に形成された略正方形状の段部１４とから構成されている。
【００２９】
また、上面１１の中心には、光を円筒部１２内部に導入するための円孔１５が設けられている。内バレル１０を外バレル２０に螺合させる際に、前述の段部１４は、それぞれ治具によって押さえられる役割を果たす。また、上面１１の外縁には、それぞれ略対向する位置に一対の切り欠き部１６が形成されている。それぞれの切り欠き部１６は、上面１１から円筒部１２の側面にかけて延びるように形成されている。これらの切り欠き部１６は、後述するように内バレル１０を外バレル２０に接着するための接着剤を受け入れるために使用される。
【００３０】
図４に示すように、円筒部１２の中空の空間は、レンズを取り付けるための空間として使用される。この目的のために、円筒部１２の内周には、レンズ９０、９１およびストッパ９２を取り付けるための第１、第２および第３段部９０ａ，９１ａ、９２ａが連続して形成されている。したがって、これらの段部９０ａ、９１ａ、９２ａは、それぞれレンズ９０、９１とストッパ９２の直径と一致する形状を有する。ストッパ９２を樹脂で接着固定することで、内バレル１０の円筒部１２の中空の空間にレンズ９０、９１が取り付けられる。本実施形態では、複数のレンズ９０、９１およびストッパ９２が取り付けられた内バレル１０は、上記本発明のレンズユニットをなす。
【００３１】
図３に示すように、円筒部１２の外周の表面１８の下部には、雄ネジ溝１８ａが形成されている。この雄ネジ溝１８ａによって、内バレル１０は、後述するように外バレル２０と螺合することができる。後述するフォーカス調整は、段部１４に治具を嵌合させて内バレル１０を回動させ、内バレル１０に組み付けられたレンズ９０およびレンズ９１を光軸方向に変位させることによって行われる。次いで、内バレル１０と外バレル２０を最適位置で接着固定するために、切り欠き部１６に接着剤が注入される。
【００３２】
外バレル２０は、合成樹脂からなる。外バレル２０は、図５および図６に示すように、円筒形の筒状部２１と、その筒状部２１の上端の外周に一体に設けられた略正方形状のフランジ部２２とから構成されている。本実施形態では、フランジ部２２の下面２２ｂおよび上面２２ａが、それぞれ上記本発明の変位部材のフランジ部の第１面および第２面をなす。
【００３３】
筒状部２１の内周には、前述した内バレル１０の円筒部１２の外周に形成された雄ネジ溝１８ａと螺合するための雌ネジ溝２１ａが形成されている。これにより、内バレル１０を外バレル２０の筒状部２１に螺合させることができる。本実施形態では、内バレル１０が螺合されている外バレル２０は、上記本発明の変位部材をなす。
【００３４】
また、略正方形状のフランジ部２２の４個の角部は、図５に示すように曲線状となっている。さらに、フランジ部２２の４個の角部には、突起部２３が周方向に等間隔にそれぞれ形成されている。これらの突起部２３は、それぞれフランジ部２２の上面２２ａ（第２面）と連続面をなし、フランジ部２２の外縁から外側に延出する。突起部２３は、後述するホルダ５０に光軸方向に形成された４個の案内溝５５にそれぞれ収容される。これにより、外バレル２０が光軸方向に案内されることを可能にする。
【００３５】
さらに、図６に示すように、フランジ部２２の下面２２ｂ（第１面）であって、突起部２３に対応する位置には、それぞれ４個の凹部２４が周方向に等間隔に形成されている。凹部２４は、平面部２４ａと、平面部２４ａの両側にそれぞれ形成されている一対の傾斜部２４ｂとを含む略台形形状をなしている。さらに、各凹部２４の間には、凹部２４の平面部２４ａと光軸方向の高さが異なる平面部２５とが円周方向にそれぞれ位置している。レバー部材３０は、後述する凸部（接触部）を介して、この凹部２４または平面部２５の一部に接触（当接）している。
【００３６】
フランジ部２２の下面２２ｂには、レバー部材３０の一部が接触した状態で配置される。このレバー部材３０は合成樹脂からなる。また、図７に示すように、レバー部材３０は、略円形リング状に形成したリング状部３１と、リング状部３１から径方向外側に延出する延出部３２とから構成されている。
【００３７】
フランジ部２２の下面２２ｂに対向するリング状部３１の上面には、４個の凸部３４が周方向にフランジ部２２の下面２２ｂの凹部２４と同じ間隔で形成されている。この４個の凸部３４は、前述の外バレル２０のフランジ部２２の下面２２ｂの凹部２４または平面部２５のいずれかで接触するようになっている。したがって、外バレル２０を光軸方向に２段階に変位が可能となっている。
【００３８】
さらに、凸部３４は、それぞれフランジ部２２の下面２２ｂと曲面で接触することができるように、略半円状に形成されている。したがって、レバー部材３０が所定角度にわたって回動する際に、凸部３４は、凸部３４とフランジ部２２の下面２２ｂとの間の摩擦が小さい状態で滑動することができる。
【００３９】
本実施形態では、レバー部材３０が回動する所定角度は３０度である。これにより、レバー部材３０の小さな操作でレンズ９０および９１を変位させることができる。また、本実施形態によれば、レンズ９０および９１の光軸方向の変位量は、例えば０．１３ｍｍである。
【００４０】
また、本実施形態では、延出部３２の下面には、略円筒形の連結ピン３５が形成されている。この連結ピン３５は、リンク（図示せず）の使用を介して手動または自動で操作される。これにより、通常撮影とマクロズーム撮影との間で切り替える際は、連結ピン３５を介して、レバー部材３０を回動させることができる。上記のように、本実施形態のレバー部材３０は、本発明の変位調節部材をなす。
【００４１】
本実施形態では、外バレル２０のフランジ部２２の上面２２ａ（第２面）に接触し、外バレル２０をレバー部材３０に向かって付勢させるようにカバー４０が設けられている。これにより、レバー部材３０のリング状部３１の凸部３４は、外バレル２０のフランジ部２２の下面２２ｂ（第１面）と常に接触した状態を保つことができる。上記のように、本実施形態のカバー４０は、本発明の付勢部材をなす。
【００４２】
このカバー４０は、金属板からなる。カバー４０は、図８に示すように、略円形状の開口４２を有する略正方形状の枠体４１と、枠体４１の角部の内縁から内側かつ下方に延出するように一体にそれぞれ形成された４個のタブ状部４３と、枠体４１の４個の角部の外縁から光軸方向下向きにそれぞれ立設された嵌合部４４および位置決め部４５と、から構成されている。
【００４３】
カバー４０は、外バレル２０を下方向に付勢することができるように、後述するホルダ５０に固定された状態で、タブ状部４３がそれぞれ外バレル２０のフランジ部２２の上面２２ａに接触している。
【００４４】
タブ状部４３の下面の先端には、それぞれ略半円状の突起４６が形成されている。これにより、タブ状部４３は、外バレル２０のフランジ部２２の上面２２ａに曲面で接触する状態となっている。そのため、外バレル２０が光軸方向に変位する際に、タブ状部４３は、外バレル２０のフランジ部２２の上面２２ａとの間の摩擦が小さい状態で、外バレル２０を下方向に付勢し続けることができる。
【００４５】
嵌合部４４および位置決め部４５は、それぞれの壁面が略直角をなすように、枠体４１の各角を挟む位置に形成されている。各嵌合部４４は、その中央に略四角形状の嵌合孔４７を有している。
【００４６】
また、枠体４１の上面のひとつの角部近傍には、組み立ての際に、カバー４０を適切な向きで配置し、組み立てるための目印となる小突起４８が形成されている。
【００４７】
外バレル２０のフランジ部２２の下面２２ｂに接触するように配置されるレバー部材３０の下には、ホルダ５０が配置される。上記のように、本実施形態のホルダ５０は、本発明のガイド部材をなす。
【００４８】
このホルダ５０は、合成樹脂からなる。ホルダ５０は、図９および図１０に示すように、中央に略円形状の開口５２を有する略正方形状の平面部（基部）５１と、開口５２の縁部から光軸方向下向きに一体に形成された円筒状の筒状部５３と、平面部５１の上面の角部にそれぞれ形成された断面略三角形状の柱部５４と、平面部５１の下面の４個の角部近傍に形成された被接着部５７と、から構成されている。
【００４９】
断面略三角形状の柱部５４の角は、それぞれ当該柱部５４が形成されている平面部５１の角と大きさおよび位置が一致している。また、この柱部５４の開口５２側に位置する側面は、前述したレバー部材３０のリング状部３１の外縁の曲率とほぼ同じ曲率を有する曲面状となっている。ホルダ５０に配置されたレバー部材３０のリング状部３１は、平面部５１の上面および４個の柱部５４の曲面状の側面によって、光軸周りに回動可能な状態でホルダ５０に支持される。
【００５０】
柱部５４の曲面状の側面の上部には、光軸方向に伸びる案内溝５５が形成されている。前述の外バレル２０の突起部２３をこの案内溝５５に収容した状態で組み立てられることによって、外バレル２０をホルダ５０に対して光軸方向に案内することができる。
【００５１】
前述の柱部５４の角を形成する２個の側面のうち、一方の側面５４ａは、カバー４０の嵌合部４４と接する。一方の側面５４ａには、略四角形状の嵌合突起５６が形成されている。この嵌合突起５６は、カバー４０の嵌合部４４に形成された嵌合孔４７と嵌合する。また、他方の側面５４ｂは、カバー４０の位置決め部４５に接する。これにより、ホルダ５０に対してカバー４０を容易に位置決めし、取り付けることができる。
【００５２】
また、４個の柱部５４のうち、１個の柱部５４の上面には、組み立ての際に、ホルダ５０を適切な向きに配置し組み立てるための目印となる面取り部５９が形成されている。
【００５３】
図１０に示すように、４個の被接着部５７は、筒状部５３に沿って周方向に等間隔に形成されている。また、４個の被接着部５７は、それぞれ後述するベースの４個の接着強化溝７３と接着される。各被接着部５７は、段部５７ａと、各段部５７ａの下端面に一体に形成されているピン（凸部）５７ｂとから構成されている。段部５７ａは、中央が窪んだ形状の側面を有している。これにより、ホルダ５０とベース７０とが接着された際に、段部５７ａは、ベース７０の後述する角段部７２（図１１参照）を回避することができる。また、段部５７ａの下端面と平面部５１の下面との距離は、筒状部５３の下端と平面部５１との距離より短くなっている。すなわち、段部５７ａの下端面は、光軸方向に筒状部５３の下面より高い位置にある。
【００５４】
また、ピン５７ｂは、４個の段部５７ａの下端面に、それぞれ所定間隔を置いて２個ずつ形成されている。これらのピン５７ｂは、後述するようにホルダ５０がベース基板部材６０の上面に接着される際に、ベース７０の上面７１上に形成された４個の接着強化溝７３の第２凹部７３ｂ内に受け入れられる。
【００５５】
ホルダ５０の筒状部５３の下端、段部５７ａの下端面およびピン５７ｂは、接着剤でベース基板部材６０の上面に接着される。
【００５６】
図２に示すように、ベース基板部材６０は、撮像素子８１を有する基板８０と、この基板８０上に撮像素子８１を密閉するように設けられているベース７０とを備える。また、ベース７０は、図１１に示すように略四角形状の上面７１を有する。
【００５７】
このベース７０は、合成樹脂からなる。図１１に示すように、ベース７０の上面７１の中央には、上面より低い位置にある略円形状の平面部７９が形成されている。その略円形状の平面部７９の中央には、さらに遠赤外線を透過しないカットフィルタ６１（図２参照）を位置決めした状態で収容するための略四角形状の位置決め部７７が形成されている。さらに位置決め部７７には、カットフィルタ６１をベース７０に接着するための接着剤塗布位置を有する。また、位置決め部７７の周囲には、半円状の４個の接着剤注入部７８が設けられている。接着剤注入部７８は、ディスペンサー等で接着剤を塗布する際に、ニードル（注射針）を受け入れられるように形成されている。また、位置決め部７７の中央には光を受け入れるための略四角形状の開口７６が設けられている。
【００５８】
略四角形状の上面７１の角部には、４個の角段部７２がそれぞれ形成されている。また、４個の角段部７２は、ベース７０の上面７１でホルダ５０が接着される部分を回避するように設けられている。これらの角段部７２は、カメラモジュール１を小型電子機器に組み付ける際に、それぞれ治具用の被押さえ部としての役割を果たす。
【００５９】
また、上面７１の角段部７２と略円形状の平面部７９との間には、角段部７２を囲むように接着強化溝７３がそれぞれ形成されている。接着強化溝７３は、上面７１に対して窪んでいる第１凹部７３ａと、その第１凹部７３ａ内に形成された第２凹部７３ｂとから構成されている。
【００６０】
第１凹部７３ａは、略Ｌ字形状を有する。また、第２凹部７３ｂは、長円の中央が窪んだ横断面形状を有する。前述したホルダ５０のピン５７ｂは、長円の窪んだ部分の両側に挿入される。これにより、ホルダ５０の被接着部５７のピン５７ｂを第２凹部７３ｂに挿入した状態で、ベース７０の上面７１に対して平行にホルダ５０の位置を調整することができる。これにより、レンズ９０および９１の光軸と撮像素子８１の中心との位置決めを行うことができる。
【００６１】
ベース７０の上面の所定接着位置、すなわち略円形状の平面部７９の周囲に接着剤が塗布される。さらに、接着剤は、接着強化溝７３の第１凹部７３ａおよび第２凹部７３ｂにも塗布される。ベース７０の上面７１の接着部に、ホルダ５０の筒状部５３の下端部が接着剤で固定される。さらに、ホルダ５０の被接着部５７のピン５７ｂは、それぞれ第２凹部７３ｂに挿入され、接着剤で固定される。これにより、ピン５７ｂおよび第２凹部７３ｂは、ホルダ５０とベース７０との接着強度を強化するための手段としての役割を果たすことができる。
【００６２】
ホルダ５０の段部５７ａの下端面とベース７０の接着強化溝の第１凹部７３ａの底面とが完全に接触する場合、第１凹部７３ａの底面に塗布された接着剤は、ホルダ５０の段部５７ａの下端面とベース７０の第１凹部７３ａの底面との間で押しつぶされる。これにより、第１凹部７３ａの底面に塗布された接着剤は、角段部７２もしくは略円形状の平面部７９にはみ出す可能性がある。
【００６３】
しかしながら、本実施形態によれば、ホルダ５０がベース７０に接着される際、ホルダ５０の被接着部５７の段部５７ａの下端面とベース７０の接着強化溝７３の第１凹部７３ａの底面との間にわずかな隙間が形成される。これにより、接着強化溝７３から接着剤が角段部７２および略円形状の平面部７９へはみ出すこと防ぐことができる。
【００６４】
さらに、本実施形態では、ホルダ５０の被接着部５７の段部５７ａの下端面は、ベース７０の第１凹部７３ａの底面に前述した隙間に存在する接着剤を介して固定することができる。これにより、ホルダ５０の段部５７ａの下端面とベース７０の第１凹部７３ａの底面も接着強化手段の役割を果たすことができる。
【００６５】
ベース７０は、４個の壁部７５を有する。４個の壁部７５は、それぞれベース７０の上面７１の外縁から、ベース７０の上面７１に対して直角かつ下方に向かって立設されている。さらに、ベース７０は、それぞれの角にコーナーポスト７５ａを有する。これらのコーナーポスト７５ａは、それぞれ壁部７５の下端を越えてベース７０の上面７１に対して直角かつ下方に延出している。組み立ての際に、この壁部７５の下端は、基板８０の上面と当接するように接着剤で固定される。これにより、ベース７０および基板８０から構成されるベース基板部材６０は、内部に撮像素子８１を封止することができる。また、これらのコーナーポスト７５ａは、ベース７０が基板８０に組み立てられる際に、それぞれ基板８０の角部に形成された嵌合部８０ａ（図２参照）と嵌合する。これにより、ベース７０は、基板８０に対して位置決めすることができる。
【００６６】
以下、本発明のカメラモジュールの組み立て手順の一例について説明する。
[１]  内バレル１０に、レンズ９０および９１をストッパ９２とともに取り付ける。
[２]  次に、[１]で組み立てた内バレル１０を外バレル２０に螺合させる。
[３]  次に、ホルダ５０に、レバー部材３０、[２]で組み立てた部材を所定位置に配置する。この状態で、カバー４０の嵌合孔４７を、ホルダ５０の嵌合突起５６に嵌合させることにより、カバー４０が取り付けられる。次いで、それらを接着剤で固定する。
[４]  カットフィルタ６１をベース７０の位置決め部７７に配置する。次いで、カットフィルタ６１をベース７０に接着剤で固定する。
[５]  撮像素子８１が取り付けられた基板８０上に[４]で組み立てた部材を接着剤で固定する。これにより、撮像素子８１がベース基板部材６０内に封止される。
[６]  [５]で組み立てたベース基板部材６０のベース７０の上面７１の所定位置に接着剤を塗布する。
[７]  [３]で組み立てた組立体のホルダ５０の被接着部５７のピン５７ｂがベース基板部材６０のベース７０の上面７１接着強化溝７３の第２凹部７３ｂに挿入された状態で、ホルダ５０を移動させ、レンズ９０および９１の光軸と撮像素子８１の中心との位置決めを行う。
[８]  [７]で組み立てられた部材にＵＶスポット照射を行い、接着剤を仮硬化させる。
[９]  [８]で組み立てられた部材の接着剤を、オーブンで本硬化させる。
[１０]  内バレル１０のねじ込み量を調整して、通常撮影時のフォーカス調整を行った後、内バレル１０と外バレル２０とを接着剤で固定する。
【００６７】
上記の様な手順で組み立てられたカメラモジュール１は、例えば、縦６ｍｍ、横６ｍｍ、高さ４．５ｍｍの外形寸法を有する。したがって、カメラモジュール１は、小型電子機器に組み付ける際に、占有するスペースをできるだけ小さくすることができる。
【００６８】
以下、本実施形態の作用効果について、図１２から図１５を用いて説明する。
【００６９】
本実施形態のカメラモジュール１において、カバー４０に形成されたタブ状部４３は、外バレル２０のフランジ部２２の上面２２ａに接触する。これにより、カバー４０は、外バレル２０を常に光軸方向下向きに付勢することができる。その結果、レバー部材３０に形成された凸部３４は、外バレル２０のフランジ部２２の下面２２ｂに複数箇所で常に接触するようになっている。
【００７０】
図１２および図１３は、通常撮影時の本実施形態のカメラモジュール１の上面図および断面図を示す。
【００７１】
図１３を参照すると、レバー部材３０の凸部３４は、フランジ部２２の下面２２ｂの凹部２４に接触している。この時、カバー４０のタブ状部４３も下方向に曲がった状態でフランジ部２２の上面２２ａに接触している。
【００７２】
図１２に示す状態からレバー部材３０の延出部３２を反時計回りに所定角度、例えば約３０度回動させる。これにより、通常撮影から接写状態のマクロズーム撮影に切り替えることができる。
【００７３】
図１４および図１５は、マクロズーム撮影時（４ｃｍフォーカス位置）の本実施形態のカメラモジュール１の上面図および断面図を示す。
【００７４】
図１５を参照すると、レバー部材３０の凸部３４は、フランジ部２２の下面２２ｂの平面部２５に接触している。この時、カバー４０のタブ状部４３は、下方向に曲がっていない状態で、フランジ部２２の上面２２ａに接触している。言い換えると、内バレル１０および外バレル２０が通常撮影時（図１３参照）より光軸方向上向きに変位している。これにより、本発明のカメラモジュール１は、マクロズーム撮影が可能となる。
【００７５】
また、本実施形態のカメラモジュール１において、このネジ溝を介して内バレル１０は、外バレル２０と螺合している。すなわち、内バレル１０のねじ込み量に応じてレンズ９０および９１を外バレル２０に対して光軸方向に変位させることができる。この内バレル１０のねじ込み量による変位は、レバー部材３０等による変位とは独立している。これにより、組み立ての際に、フォーカス調整に好適なネジピッチを使用して、通常撮影時のレンズ９０および９１の位置調整（フォーカス調整）を行うことができる。
【００７６】
内バレル１０および外バレル２０を組み立てた部材の光軸方向の変位量は、フランジ部２２の下面２２ｂに形成された凹部２４の形状とレバー部材３０に形成された凸部３４の形状とに依存している。本実施形態の凸部３４および凹部の形状は一例であり、内バレル１０および外バレル２０の光軸方向の任意の変位量に応じて、適宜変更することが可能である。
【００７７】
さらに、本実施形態では、レバー部材３０の延出部３２は、図１２および図１３において左方向に延出している。しかしながら、レバー部材３０の所定の回動量が得ることが困難でない限りは、レバー部材３０をあらゆる周囲方向に延出させるように変更することが可能である。
【００７８】
さらに、本実施形態では、レバー部材３０の延出部３２とホルダ５０のレバー突当部５４ｃの寸法関係で、レバー部材３０の回動角度は３０度となっている。しかしながら、レバー部材３０の延出部３２の幅寸法とホルダ５０のレバー突当部５４ｃ（図９参照）の寸法変更することによって、レバー部材３０が回動する所定角度を変更することが可能である。
【００７９】
最後に、本発明は上記の実施形態に限定されるものではなく、以下に記載の特許請求の範囲から逸脱することなく、多くの改良および改変が行われることを注意すべきである。
【図面の簡単な説明】
【００８０】
【図１】本発明に係るカメラモジュールの実施形態の外観を示す斜視図である。
【図２】図１に示すカメラモジュールの分解斜視図である。
【図３】内バレルの上方斜視図である。
【図４】内バレルの下方斜視図である。
【図５】外バレルの上方斜視図である。
【図６】外バレルの下方斜視図である。
【図７】レバー部材の斜視図である。
【図８】カバーの斜視図である。
【図９】ホルダの上方斜視図である。
【図１０】ホルダの下方斜視図である。
【図１１】ベースの斜視図である。
【図１２】図１に示すカメラモジュールの上面図であって、通常撮影時の状態を示す。
【図１３】図１２におけるＡ−Ａ断面線の断面図である。
【図１４】図１に示すカメラモジュールの上面図であって、マクロズーム撮影時の状態を示す。
【図１５】図１４におけるＢ−Ｂ断面線の断面図である。
【図１６】従来のカメラモジュールの外観を示す斜視図である。
【図１７】従来のカメラモジュールの断面図である。
【符号の説明】
【００８１】
１  カメラモジュール
１０  内バレル
１１  上面
１２  円筒部
１３  開口
１４  段部
１５  円孔
１６  切り欠き部
１８  表面
１８ａ  雄ネジ溝
２０  外バレル
２１  筒状部
２１ａ  雌ネジ溝
２２  フランジ部
２２ａ  上面
２２ｂ  下面
２３  突起部
２４  凹部
２４ａ  平面部
２４ｂ  傾斜部
２５  平面部
３０  レバー部材
３１  リング状部
３２  延出部
３４  凸部
３５  連結ピン
４０  カバー
４１  枠体
４２  開口
４３  タブ状部
４４  嵌合部
４５  位置決め部
４６  突起
４７  嵌合孔
４８  小突起
５０  ホルダ
５１  平面部
５２  開口
５３  筒状部
５４  柱部
５４ａ  側面
５４ｂ  側面
５４ｃ  レバー突当部
５５  案内溝
５６  嵌合突起
５７  被接着部
５７ａ  段部
５７ｂ  ピン
５９  面取り部
６０  ベース基板部材
６１  カットフィルタ
７０  ベース
７１  上面
７２  角段部
７３  接着強化溝
７３ａ  第１凹部
７３ｂ  第２凹部
７５  壁部
７５ａ  コーナーポスト
７６  開口
７７  位置決め部
７８  接着剤注入部
７９  平面部
８０  基板
８０ａ  嵌合部
８１  撮像素子
９０、９１  レンズ
９０ａ、９１ａ、９２ａ  段部
９２  ストッパ
１００  カメラモジュール
１１０  レンズユニット
１３０  レバー部材
１５０  ホルダ
１６０  ベース基板部材
１８１  撮像素子
１９０  レンズ
【図１】
2006099072.tif 000003
【図２】
2006099072.tif 000004
【図３】
2006099072.tif 000005
【図４】
2006099072.tif 000006
【図５】
2006099072.tif 000007
【図６】
2006099072.tif 000008
【図７】
2006099072.tif 000009
【図８】
2006099072.tif 000010
【図９】
2006099072.tif 000011
【図１０】
2006099072.tif 000012
【図１１】
2006099072.tif 000013
【図１２】
2006099072.tif 000014
【図１３】
2006099072.tif 000015
【図１４】
2006099072.tif 000016
【図１５】
2006099072.tif 000017
【図１６】
2006099072.tif 000018
【図１７】
2006099072.tif 000019